(57)【要約】【課題】新聞配達において、受け手側の要求に合わせて発信、配達する情報を柔軟に変化させることができる新聞指定配達プログラム、新聞指定配達システムおよび新聞指定配達方法を提供する。【解決手段】利用者が臨時に配達を希望する新聞の配達依頼情報を入力する情報登録端末１００と、この配達依頼情報にしたがって前記利用者に希望された新聞を配達する新聞集配所３０００を検索し、検索された新聞集配所３０００に配達を依頼する集配所依頼情報を送信することにより、配達希望の紙刊を指定された家庭４０００まで配達し、利用者は家庭に居ながらにして所望の新聞を完全な形で入手することができ、情報の受け手側の要求に即した柔軟な情報の提供を行うことができる。【選択図】図１
2006298653.tif 000002
【特許請求の範囲】
【請求項１】
顧客コードと新聞集配所を有する顧客マスタテーブルと、新聞集配所と配達地域を有する新聞店マスタテーブルを記憶するマスタテーブル記憶工程と、
利用者が臨時に配達を希望する新聞と住所と顧客コードを含む配達依頼情報を受信する配達依頼情報受信工程と、
前記配達依頼情報にしたがって前記利用者に希望された新聞を希望された住所に配達する新聞集配所を検索する際、前記配達依頼情報に含まれる顧客コードで前記顧客マスタテーブルを検索して該当する顧客コードが見つかる場合、前記顧客マスタテーブルから対応する新聞集配所を得、該当する顧客コードが見つからない場合、前記新聞店マスタテーブルから前記配達依頼情報に含まれる住所を配達担当する新聞集配所を検索して得る新聞集配所検索工程と、
前記配達依頼情報にしたがって前記検索された新聞集配所に配達を依頼する集配所依頼情報を作成する集配所依頼情報作成工程と、
前記作成された集配所依頼情報を前記新聞集配所に送信する集配所依頼情報送信工程と、
をコンピュータに実行させることを特徴とする新聞指定配達プログラム。
【請求項２】
顧客コードと新聞集配所を有する顧客マスタテーブルと、新聞集配所と配達地域を有する新聞店マスタテーブルを記憶するマスタテーブル記憶部と、
利用者が臨時に配達を希望する新聞と住所と顧客コードを含む配達依頼情報を受信する配達依頼情報受信部と、
前記配達依頼情報にしたがって前記利用者に希望された新聞を希望された住所に配達する新聞集配所を検索する際、前記配達依頼情報に含まれる顧客コードで前記顧客マスタテーブルを検索して該当する顧客コードが見つかる場合、前記顧客マスタテーブルから対応する新聞集配所を得、該当する顧客コードが見つからない場合、前記新聞店マスタテーブルから前記配達依頼情報に含まれる住所を配達担当する新聞集配所を検索して得る新聞集配所検索部と、
前記配達依頼情報にしたがって前記検索された新聞集配所に配達を依頼する集配所依頼情報を作成する集配所依頼情報作成部と、
前記作成された集配所依頼情報を前記新聞集配所に送信する集配所依頼情報送信部と、
を有することを特徴とする新聞指定配達システム。
【請求項３】
顧客コードと新聞集配所を有する顧客マスタテーブルと、新聞集配所と配達地域を有する新聞店マスタテーブルを記憶するマスタテーブル記憶工程と、
利用者が臨時に配達を希望する新聞と住所と顧客コードを含む配達依頼情報を受信する配達依頼情報受信工程と、
前記配達依頼情報にしたがって前記利用者に希望された新聞を希望された住所に配達する新聞集配所を検索する際、前記配達依頼情報に含まれる顧客コードで前記顧客マスタテーブルを検索して該当する顧客コードが見つかる場合、前記顧客マスタテーブルから対応する新聞集配所を得、該当する顧客コードが見つからない場合、前記新聞店マスタテーブルから前記配達依頼情報に含まれる住所を配達担当する新聞集配所を検索して得る新聞集配所検索工程と、
前記配達依頼情報にしたがって前記検索された新聞集配所に配達を依頼する集配所依頼情報を作成する集配所依頼情報作成工程と、
前記作成された集配所依頼情報を前記新聞集配所に送信する集配所依頼情報送信工程と、
を有することを特徴とする新聞指定配達方法。
【発明の詳細な説明】
【技術分野】
【０００１】
本発明は、利用者の要求に柔軟に対処することができる新聞指定配達プログラム、新聞指定配達システムおよび新聞指定配達方法に関する。
【背景技術】
【０００２】
従来、新聞の配達は事前に配達契約が交わされ、固定的に契約が交わされている紙刊のみが個々の家庭に配達されるのが原則である。
【０００３】
これに対し、購読者、すなわち情報の受け手側は、日々刻々変動する情報を、その話題性・関心度等に合わせて入手する情報量を柔軟に変化させている。例えば、身近なところで重大事件が発生した場合、普段あまりテレビを見ない人でも事件の動向を気に懸けて報道番組を熱心に視聴したりするであろうし、スポーツ好きの人であれば、オリンピックやワールドカップのときには、夕刊やスポーツ新聞で詳しい記事が読みたかったりするであろう。
【発明の開示】
【発明が解決しようとする課題】
【０００４】
しかしながら、新聞配達においては受け手側が得られる情報、紙刊は、常に一定であり、受け手側の要求に合わせて発信、配達する情報を柔軟に変化させるすべが存在しない。
【０００５】
また、インターネットやｉモード等を用いて、新聞社から提供される情報を検索して一部の記事を見るといった方法は存在するが、一部の記事しか見られなかったり、記事自体も全てが掲載されているわけではなかったりする。さらに、画面上の情報を見るのに慣れてきた人がいるとはいえ、一般の人には、画面上で見るものと、新聞紙上で見るものとでは、明らかに見やすさが異なる。また、情報をいちいち印刷してから見るのでは、手間がかかるし、新聞の全てを出力するのでは膨大な量になるし、新聞に掲載されている広告といった情報も、新聞の重要なファクターである。
【０００６】
そこで本発明は、利用者が臨時に配達を希望する新聞の配達依頼情報を入力させ、この配達依頼情報にしたがって前記利用者に希望された新聞を配達する新聞集配所を検索し、検索された新聞集配所に配達を依頼する集配所依頼情報を送信することにより、配達希望の紙刊を指定された家庭まで配達し、利用者は家庭に居ながらにして所望の新聞を完全な形で入手することができ、情報の受け手側の要求に即した柔軟な情報の提供を行うことができる新聞指定配達プログラム、新聞指定配達システムおよび新聞指定配達方法を提供することを課題とする。
【課題を解決するための手段】
【０００７】
本発明の新聞指定配達プログラム、新聞指定配達システムおよび新聞指定配達方法は、顧客コードと新聞集配所を有する顧客マスタテーブルと、新聞集配所と配達地域を有する新聞店マスタテーブルを記憶し、利用者が臨時に配達を希望する新聞と住所と顧客コードを含む配達依頼情報を受信し、前記配達依頼情報にしたがって前記利用者に希望された新聞を希望された住所に配達する新聞集配所を検索する際、前記配達依頼情報に含まれる顧客コードで前記顧客マスタテーブルを検索して該当する顧客コードが見つかる場合、前記顧客マスタテーブルから対応する新聞集配所を得、該当する顧客コードが見つからない場合、前記新聞店マスタテーブルから前記配達依頼情報に含まれる住所を配達担当する新聞集配所を検索して得、前記配達依頼情報にしたがって前記検索された新聞集配所に配達を依頼する集配所依頼情報を作成し、前記作成された集配所依頼情報を前記新聞集配所に送信することを特徴とした構成を有している。
【０００８】
この構成により、新聞集配所を検索する際、配達依頼情報に含まれる顧客コードが顧客マスタテーブルに含まれる場合、顧客マスタテーブルから対応する新聞集配所を得、顧客コードが顧客マスタテーブルにない場合、新聞店マスタテーブルから配達依頼情報に含まれる住所を配達担当する新聞集配所を検索して得るので、いつもとは異なる新聞や場所、すなわち、臨時の新聞購読や臨時の配達先に新聞配達を手配することができる。
【発明の効果】
【０００９】
本発明は、顧客コードと新聞集配所を有する顧客マスタテーブルと、新聞集配所と配達地域を有する新聞店マスタテーブルを記憶し、希望された新聞を希望された住所に配達する新聞集配所を検索する際、配達依頼情報に含まれる顧客コードが前記顧客マスタテーブルに含まれる場合、前記顧客マスタテーブルから対応する新聞集配所を得、顧客コードが含まれない場合、新聞店マスタテーブルから配達依頼情報に含まれる住所を配達担当する新聞集配所を検索して得ることにより、いつもとは異なる新聞や場所、すなわち、臨時の新聞購読の実現や、臨時の配達先に新聞配達を手配することができ、配達希望の紙刊が指定された家庭まで配達され、利用者は家庭に居ながらにして所望の新聞を完全な形で入手することができる。
【発明を実施するための最良の形態】
【００１０】
以下、本発明の実施の形態について添付図面を参照しつつ説明する。
【００１１】
本発明に係る新聞指定配達サービスの構成図を図１に示す。新聞指定配達サービスは、図１に示すように、情報登録端末１００、新聞社２０００内の新聞社センターサーバ２００および新聞集配所３０００内の新聞集配所端末３００を備えている。
【００１２】
情報登録端末１００は、パソコンや携帯電話等の新聞社センターサーバ２００へ登録情報を送信するための端末である。
【００１３】
新聞社センターサーバ２００は、新聞社２０００のサーバで情報登録端末１００から登録情報を受信し、情報を処理し、新聞集配所端末３００へ処理情報の送信を行うものである。
【００１４】
新聞集配所端末３００は、各家庭４０００に新聞を配達する新聞集配所３０００内の端末であり、新聞社センターサーバ２００から処理情報を受信し、受信した処理情報にしたがって新聞を配達する家庭４０００、配達する新聞の追加指示を行うものである。
【００１５】
また、情報登録端末１００は、図２に示すように、端末入力部（配達依頼情報入力手段）１１０、端末送信部（配達依頼情報送信手段）１２０、端末受信部（入力項目受信手段）１３０、端末表示部１７０を備えている。
【００１６】
情報登録端末１００の端末入力部１１０は、利用者が所望する記事が掲載されている新聞の配達依頼情報、すなわち、利用者の氏名、住所、電話番号、配達希望新聞、希望新聞発刊日、配達希望日等の新聞の配達を依頼する「登録情報」を入力するものである。
【００１７】
端末送信部１２０は、端末入力部１１０に入力された「登録情報」を、上記希望新聞を発刊している新聞社２０００の新聞社センターサーバ２００に送信するものである。端末受信部１３０は、必要に応じて利用者が新聞社センターサーバ２００等から情報を獲得する場合に、この獲得情報を受信するものである。
【００１８】
端末表示部１７０は、新聞配達依頼の入力画面等を表示させるなど、利用者が情報登録端末１００から情報を得る、または入力操作の補助を行うものである。
【００１９】
新聞社センターサーバ２００は、図３に示すように、センター受信部（配達依頼情報受信部）２１０、センター編集部（配達依頼情報編集手段、集配所依頼情報作成部）２２０、センター記憶部（マスタテーブル記憶部、配達依頼情報記憶部）２３０、センターデータベース（顧客データベース、新聞集配所データベース）２４０、センター検索部（新聞集配所検索部）２５０、センター送信部（集配所依頼情報送信部）２６０を備えている。
【００２０】
新聞社センターサーバ２００のセンター受信部２１０は、情報登録端末１００から上記「登録情報」を受信するものである。センター編集部２２０は、受信した「登録情報」を編集するとともに、この「登録情報」にしたがって新聞集配所３０００に配達を依頼する「新聞希望配達依頼情報」を作成するものである。センター記憶部２３０は、センター編集部２２０が編集した情報や送受信情報等を記憶するものである。
【００２１】
センターデータベース２４０は、顧客マスタ、新聞店マスタを有し、各マスタの詳細は後述するが、顧客マスタは、新聞社２０００の顧客情報が記録されたものであり、新聞店マスタは、新聞社２０００の有する、または、契約している各新聞集配所３０００の情報が記録されたものである。
【００２２】
センター検索部２５０は、センター受信部２１０が受信した「登録情報」により、センターデータベース２４０を検索し、顧客チェックや新聞集配所の検索、および各種情報の抽出を行うものである。センター送信部２６０は、センター編集部２２０に作成された「新聞希望配達依頼情報」を、検索された新聞集配所３０００の新聞集配所端末３００に送信するものであり、また、情報登録端末１００から情報提供依頼があった場合に、依頼された情報を情報登録端末１００に送信するものである。
【００２３】
新聞集配所端末３００は、図４に示すように、集配所受信部（集配所依頼情報受信手段）３１０、配達ルート検索部（配達ルート検索手段）３２０、配達ルート変更部（配達ルート変更手段）３３０、新聞割り当て部（希望新聞追加手段）３４０を備えている。また、配達ルート検索部３２０、配達ルート変更部３３０、新聞割り当て部３４０は、特に装置を用いずに、新聞集配所３０００の従業員によるなど人手で行う方が一般的である。
【００２４】
新聞集配所端末３００の集配所受信部３１０は、新聞社センターサーバ２００から「新聞希望配達依頼情報」を受信するものであり、ＦＡＸやパソコン等からなる。
【００２５】
配達ルート検索部３２０は、集配所受信部３１０が受信した「新聞希望配達依頼情報」により、既存の配達ルートから利用者の家庭４０００に新聞を配達する配達ルートの基準となる基準配達ルートを検索するものである。配達ルート変更部３３０は、配達ルート検索部３２０によって検索された基準配達ルート上に利用者の家庭４０００がない場合に、基準配達ルートを変更して、利用者の家庭４０００に新聞の配達を行うことができる新配達ルートを作成するものである。
【００２６】
新聞割り当て部３４０は、配達ルートごとに配達新聞の割り当てを行い、「新聞希望配達依頼情報」により追加新聞のある配達ルートには、依頼のあった新聞の部数を追加するものである。
【００２７】
このような新聞指定配達サービスにおいて、利用者が配達希望新聞を指定して希望の新聞が利用者の家庭に配達されるまでの処理手順を図５から図７に示し、説明する。
【００２８】
利用者はインターネットその他の情報により所望の記事が掲載されている新聞の情報を得る。または、テレビ、ラジオあるいは利用者が購読している新聞等から事件、事故、イベント等、利用者の関心が高い記事が新聞に載りそうなときに、情報登録端末１００から「登録情報」を入力し、指定新聞の配達を依頼する。
【００２９】
まず、利用者は情報登録端末１００から配達を希望する新聞の新聞社センターサーバ２００にアクセスし、端末受信部１３０で新聞配達依頼の入力画面を受信し、端末表示部１７０に表示させる（ｓ１０１）。新聞配達依頼の入力画面のレイアウト例を図８に示す。
【００３０】
また、配達希望新聞の情報は、上記のように、インターネットやｉモードでウェブ上の新聞を検索したり、人伝えで新聞への掲載情報を獲得、または、テレビ、ラジオ等で得た情報から掲載されているであろうという新聞を指定しても構わない。
【００３１】
端末表示部１７０に新聞配達依頼入力画面が表示されたら、利用者は端末入力部１１０から、氏名、住所、電話番号、配達希望新聞、希望新聞発刊日、配達希望日、および新聞契約者は顧客コード、非契約者はクレジットカード番号等の「登録情報」の入力を行う（ｓ１０２）。
【００３２】
上記「登録情報」の入力ができたら、送信指示を行い、端末送信部１２０により新聞社センターサーバ２００にこの「登録情報」を送信する（ｓ１０３）。
【００３３】
新聞社センターサーバ２００では、情報登録端末１００から送信された「登録情報」を、センター受信部２１０により受信する（ｓ１１１）。また、受信した「登録情報」により新聞配達依頼ファイルを作成する（ｓ１１２）。新聞配達依頼ファイルは、受付番号、受付日時、氏名、住所、電話番号、配達希望新聞、希望新聞発刊日、配達希望日、および新聞契約者は顧客コード、非契約者はクレジットカード番号等を記録する。
【００３４】
ここで、新聞社センターサーバ２００が有するセンターデータベース２４０の各マスタおよび上記新聞配達依頼ファイルのファイル構造を図９に示し、説明する。
【００３５】
図９に示すように、センターデータベース２４０は、顧客マスタ、新聞店マスタを有している。データベース機能として特にこのような個別のマスタを有するとは限らないが、ここでは説明のため、顧客マスタ、新聞店マスタを有するものとして以下の説明を行う。
【００３６】
顧客マスタは、新聞契約者の顧客コード、契約者名、契約者住所、電話番号、契約内容（朝刊／夕刊等の種別、契約期間等）、担当集配所が、各契約者ごとに記録されている。新聞店マスタは、新聞社の有する新聞集配所コード、新聞集配所名、配達地域が、各新聞集配所ごとに記録されている。
【００３７】
また、新聞配達依頼ファイルは、上記受付番号、受付日時、氏名、住所、電話番号、配達希望新聞、希望新聞発刊日、配達希望日、顧客コード、クレジットカード番号に加え、配達新聞集配所を項目として有している。
【００３８】
このようなセンターデータベース２４０を有する新聞社センターサーバ２００において、情報登録端末１００から上記「登録情報」を受信する（ｓ１１１）と、受信した「登録情報」により新聞配達依頼ファイルを作成（ｓ１１２）後、「登録情報」の顧客コードが入力されているか否かをチェックする（ｓ１１３）。
【００３９】
顧客コードが入力されている場合には、顧客マスタを参照し、利用者の存在チェック、すなわち、「登録情報」を送信してきた利用者がこの新聞社の顧客であるか否かの判断を行う（ｓ１１４）。「顧客コード」が存在したら、顧客マスタよりこの顧客に対する担当の新聞集配所３０００を取得する（ｓ１１５）。
【００４０】
「登録情報」により「顧客コード」が得られない、または、顧客マスタに存在しない、すなわち、契約者以外の利用者から「登録情報」が送信されてきたときには、新聞店マスタを参照し、上記「登録情報」の「住所」からこの住所の地域を配達担当する新聞集配所３０００を検索し（ｓ１１６）、新聞店マスタにより配達担当の新聞集配所３０００を取得する（ｓ１１７）。
【００４１】
新聞店マスタ検索時に、該当データが見つからなかった場合、例えば、利用者の住所が新聞社２０００の配達地域外であった場合には、情報登録端末１００にエラー通知を行う（ｓ１１８）。
【００４２】
配達担当の新聞集配所３０００が取得されたら、上記新聞配達依頼ファイルの配達新聞集配所項目に取得された新聞集配所３０００を記録しておく（ｓ１２１）。また、取得された新聞集配所３０００宛の「新聞希望配達依頼情報」を作成する（ｓ１２２）。
【００４３】
作成された「新聞希望配達依頼情報」は、ＦＡＸまたはデータとしてセンター送信部２６０から新聞集配所端末３００に送信される（ｓ１２３）。「新聞希望配達依頼情報」を新聞希望配達依頼書として作成した場合のレイアウト例を図１０に示す。
【００４４】
また、新聞社は上記「配達希望依頼」に基づいて、上記検索された新聞集配所３０００に新聞を配送する配送センターに、配達依頼のあった新聞の追加配送連絡を行う（ｓ１２４）。この連絡により、配送センターでは指定の配達日に、上記新聞集配所３０００に新聞の追加配送を行う。したがって、新聞集配所３０００に希望された新聞の在庫がない場合でも、配送センターから配達すべき新聞が配送されてくるので、利用者に配達することができる。
【００４５】
新聞集配所端末３００では、集配所受信部３１０により新聞社センターサーバ２００から送信された「新聞希望配達依頼情報」が受信される（ｓ１３１）。
【００４６】
受信した「新聞希望配達依頼情報」により配達先の利用者が契約者である（顧客コードが入っている）か否かを判定し（ｓ１３２）、契約者である場合には、配達ルート検索部３２０でこの顧客の配達ルートを検索する（ｓ１３３）。
【００４７】
配達ルートの検索では、配達情報テーブルを用いる。配達情報テーブルは、図１１に示すように、配達ルートと、この配達ルート内の顧客情報、配達担当者が記録されている。契約者からの配達依頼があった、すなわち、「新聞希望配達依頼情報」に顧客コードが入っている場合には、この顧客コードで配達情報テーブルの顧客情報を検索し、配達ルートを求める。
【００４８】
また、図１１に示した配達情報テーブルでは、顧客情報として各顧客の氏名を記載しているが、この顧客情報は、顧客コード、顧客氏名、顧客住所等からなる。さらに、この顧客情報は、配達情報テーブル上では、顧客コードのみで、この顧客コードにリンクさせた顧客情報テーブルを持ち、顧客情報テーブルに、顧客コード、顧客氏名、顧客住所等を持っても良い。
【００４９】
処理説明に戻り、受信した「新聞希望配達依頼情報」により配達先の顧客が非契約者である（顧客コードが入っていない）と判定（ｓ１３２）、または、この契約者が配達ルートに含まれない（ｓ１３３）、例えば、朝刊のみの配達で夕刊配達時に希望新聞の配達を依頼したため配達ルート外だった等の場合には、「新聞希望配達依頼情報」の住所からこの住所地域を配達ルートとする配達ルートを検索する（ｓ１３４）。配達ルートが検索されたら、依頼者の配達先（「新聞希望配達依頼情報」の住所）と、この配達ルート内の各配達先と、から効率の良い配達ルートを検討し、配達ルートを変更する（ｓ１３５）。
【００５０】
配達ルートの変更処理例を図１２に示す。図１２（ａ）に示すように、光新聞店から甲山一郎宅、乙花子宅を配達する既存の配達ルートＡがあるとする。このとき、この配達ルートＡ上の丙川太郎から新聞配達依頼があったとすると、配達ルートはそのままで、図１２（ｂ）に示すように、甲山一郎宅と乙花子宅の間で、丙川太郎宅へ依頼された新聞を配達すれば良いことになる。
【００５１】
しかし、配達ルートＡ外の丁夕子から新聞配達依頼があったとすると、配達ルートＡのままでは、丁夕子宅へ新聞の配達はできないので、図１２（ｃ）に示すように、甲山一郎宅と乙花子宅の間で、丁夕子宅へ迂回する配達ルートＸを作成し、配達ルートの変更処理を行う。
【００５２】
次に、検索された配達ルートまたは変更された配達ルートで配達する新聞束に希望された新聞を追加し（ｓ１３７）、この配達ルートを担当する新聞配達員に追加配達があることを連絡する（ｓ１３８）。各新聞配達員は、それぞれ指示された配達ルートで新聞の配達を行い、追加された新聞を利用者の家庭４０００に配達することとなる。
【００５３】
したがって、利用者は情報登録端末１００から「登録情報」を入力すれば、家庭４０００に居ながらにして、希望した通常の新聞を入手することができる。
【００５４】
さらに、上記新聞配達依頼における料金請求処理システムについて説明する。
【００５５】
料金請求処理システムにおいては、新聞社センターサーバ２００が、上記センター受信部２１０、センター編集部２２０、センター記憶部２３０、センターデータベース２４０、センター検索部２５０、センター送信部２６０に加え、通常請求情報作成部（通常請求情報作成手段）２８０、臨時請求情報作成部（臨時請求情報作成手段）２９０を備えている。
【００５６】
通常請求情報作成部２８０は、新聞社２０００の契約者に対する通常の契約に基づいた請求情報を作成するものであり、臨時請求情報作成部２９０は、利用者が臨時に配達依頼を行った新聞に対する請求情報を作成するものである。
【００５７】
また、センター編集部（請求加算手段）２２０は、上記機能に加え、配達依頼を行った利用者が新聞社２０００の契約者であった場合に、臨時請求情報作成部２９０に作成された請求情報を、通常請求情報作成部２８０に作成された請求情報に、加算するものである。さらに、新聞配達依頼ファイルに、請求項目を設け、データ作成時には請求項目を"未請求"としてデータを作成し、請求処理後に"請求済み"とする。
【００５８】
料金請求処理を行うと、情報登録端末１００から新聞社センターサーバ２００に送られた利用者の配達依頼により作成された新聞配達依頼ファイルを検索し、未請求データ（請求項目が"未"のもの）を抽出する。新聞配達依頼ファイルより未請求データが抽出されると、臨時請求情報作成部２９０により、臨時請求情報が作成される。臨時請求情報が作成された新聞配達依頼ファイルのデータは、請求項目を請求済み（"済"）にする。
【００５９】
臨時請求情報作成時、利用者が新聞社２０００の契約者であるか否かが判定され、契約者である場合には、作成された臨時請求情報が、臨時請求情報ファイルとして保存される。利用者が契約者でない場合には、臨時請求情報に基づいてクレジットカード会社に請求を行う。
【００６０】
また、通常請求情報作成部２８０では、請求日に合わせて新聞社２０００の契約者に対し、契約者の契約に基づき通常請求情報を作成する。ここで、契約者に対する臨時請求情報ファイルが存在すれば、センター編集部２２０が上記通常請求情報に臨時請求情報を加算し、請求情報を作成する。作成された請求情報により、各契約者に対して、銀行引き落としや戸別集金によって料金の回収を行うことができる。
【図面の簡単な説明】
【００６１】
【図１】本発明に係る新聞指定配達サービスの一実施例を示す構成図である。
【図２】情報登録端末の構成図である。
【図３】新聞社センターサーバの構成図である。
【図４】新聞集配所端末の構成図である。
【図５】新聞指定配達サービスの動作処理を示すフローチャートである。
【図６】新聞指定配達サービスの動作処理を示すフローチャートである。
【図７】新聞指定配達サービスの動作処理を示すフローチャートである。
【図８】新聞配達依頼の入力画面レイアウトを示す画面図である。
【図９】センターデータベースの各マスタおよび新聞配達依頼ファイルのファイル構造図である。
【図１０】新聞希望配達依頼書を示す図である。
【図１１】配達情報テーブルを示すファイル構造図である。
【図１２】配達ルート変更処理を説明する図である。
【符号の説明】
【００６２】
１００  情報登録端末
１１０  端末入力部（配達依頼情報入力手段）
１２０  端末送信部（配達依頼情報送信手段）
１３０  端末受信部（入力項目受信手段）
１７０  端末表示部
２０００  新聞社
２００  新聞社センターサーバ
２１０  センター受信部（配達依頼情報受信部）
２２０  センター編集部（配達依頼情報編集手段、集配所依頼情報作成部
、請求加算手段）
２３０  センター記憶部（マスタテーブル記憶部、配達依頼情報記憶部）
２４０  センターデータベース（顧客データベース、新聞集配所データベース）
２５０  センター検索部（新聞集配所検索部）
２６０  センター送信部（集配所依頼情報送信部）
２８０  通常請求情報作成部（通常請求情報作成手段）
２９０  臨時請求情報作成部（臨時請求情報作成手段）
３０００  新聞集配所
３００  新聞集配所端末
３１０  集配所受信部（集配所依頼情報受信手段）
３２０  配達ルート検索部（配達ルート検索手段）
３３０  配達ルート変更部（配達ルート変更手段）
３４０  新聞割り当て部（希望新聞追加手段）
４０００  家庭
【図１】
2006298653.tif 000003
【図２】
2006298653.tif 000004
【図３】
2006298653.tif 000005
【図４】
2006298653.tif 000006
【図５】
2006298653.tif 000007
【図６】
2006298653.tif 000008
【図７】
2006298653.tif 000009
【図８】
2006298653.tif 000010
【図９】
2006298653.tif 000011
【図１０】
2006298653.tif 000012
【図１１】
2006298653.tif 000013
【図１２】
2006298653.tif 000014